(57)【特許請求の範囲】
【請求項１】
各データベースが１または２以上の対象に関するコンテンツのメタ情報で構成され、データベースごとに前記コンテンツの種別が異なる複数のデータベースを記憶する記憶部と；
前記複数のデータベースのうちの１のデータベースを構成するメタ情報が選択されると、前記メタ情報と同一対象に関するメタ情報を前記複数のデータベースのうちの他のデータベースから検索する検索部と；
前記検索部による検索結果に応じて表示画面を制御する制御部と；
を備え、
前記複数のデータベースは、ＣＭデータのメタ情報で構成されるデータベース、番組データのメタ情報で構成されるデータベース、およびチラシデータのメタ情報で構成されるデータベースを含み、
前記ＣＭデータのメタ情報には、価格情報の重畳の可否を示す情報が含まれ、
前記対象は商品であり、
前記制御部は、前記検索部により検索されたメタ情報に対応するＣＭデータを表示画面に表示させる際に、前記情報により前記価格情報の重畳が認められる場合に前記ＣＭデータの対象商品の価格情報を前記チラシデータのメタ情報から検索して表示画面に重畳させる、
データ記憶装置。
【請求項２】
前記対象は商品であり、
前記検索部は、前記チラシデータを構成する複数の商品のメタ情報が選択されると、前記複数の商品に関するメタ情報を前記ＣＭデータのメタ情報で構成されるデータベースから検索し、
前記制御部は、前記検索部により検索されたメタ情報に対応するＣＭデータを順次に表示画面に表示させる、請求項１に記載のデータ記憶装置。
【請求項３】
前記制御部は、前記ＣＭデータのメタ情報で構成されるデータベースから前記検索部により複数のＣＭデータが検索されると、前記複数のＣＭデータのプレイリストを前記表示画面に表示させる、請求項１に記載のデータ記憶装置。
【請求項４】
前記制御部は、選択された前記メタ情報と同一対象に関するメタ情報が前記他のデータベースに存在しない場合、代替データを前記表示画面に表示させる、請求項１に記載のデータ記憶装置。
【請求項５】
前記代替データは、ネットワークから取得される前記メタ情報の対象を示す画像データである、請求項４に記載のデータ記憶装置。
【請求項６】
前記検索部は、前記複数のデータベースのうちで、ユーザにより指定されたデータ種別に対応するデータベースから前記メタ情報を検索する、請求項１に記載のデータ記憶装置。
【請求項７】
前記制御部は、前記検索部により検索されたメタ情報に対応するＣＭデータを表示画面に表示させる際に、前記情報により前記前記価格情報の重畳が認められない場合、前記データ記憶装置と事前に対応付けられた装置に前記価格情報を表示させる、請求項１に記載のデータ記憶装置。
【請求項８】
前記データ記憶装置は、選択された前記メタ情報と同一対象に関するメタ情報が前記チラシデータのメタ情報で構成されるデータベースに存在しない場合に、前記対象を掲載するチラシデータの送信要求を前記チラシデータの収集機能を有するサーバに送信する送信部をさらに備える、請求項１に記載のデータ記憶装置。
【請求項９】
前記データ記憶装置は、将来放送される各番組に関連する対象を示す番組関連情報を取得し、
前記検索部は、選択された前記メタ情報と同一対象に関するメタ情報が前記番組データのメタ情報で構成されるデータベースに存在しない場合に、前記対象に関連する番組データを前記番組関連情報に基づいて検索し、
前記制御部は、前記検索部により検索された番組を予約録画する、請求項１に記載のデータ記憶装置。
【請求項１０】
前記データ記憶装置は、将来放送される各ＣＭに関連する対象を示すＣＭ関連情報を取得し、
前記検索部は、選択された前記メタ情報と同一対象に関するメタ情報が前記ＣＭデータのメタ情報で構成されるデータベースに存在しない場合に、前記対象に関連するＣＭを前記ＣＭ関連情報に基づいて検索し、
前記制御部は、前記検索部により検索されたＣＭを予約録画する、請求項１に記載のデータ記憶装置。
【請求項１１】
前記制御部は、前記検索部により検索されたＣＭを含む番組枠全体の予約録画を行う、請求項１０に記載のデータ記憶装置。
【請求項１２】
コンピュータを、
各データベースが１または２以上の対象に関するコンテンツのメタ情報で構成され、データベースごとに前記コンテンツの種別が異なる複数のデータベースを記憶する記憶部と；
前記複数のデータベースのうちの１のデータベースを構成するメタ情報が選択されると、前記メタ情報と同一対象に関するメタ情報を前記複数のデータベースのうちの他のデータベースから検索する検索部と；
前記検索部による検索結果に応じて表示画面を制御する制御部と；
を備え、
前記複数のデータベースは、ＣＭデータのメタ情報で構成されるデータベース、番組データのメタ情報で構成されるデータベース、およびチラシデータのメタ情報で構成されるデータベースを含み、
前記ＣＭデータのメタ情報には、価格情報の重畳の可否を示す情報が含まれ、
前記対象は商品であり、
前記制御部は、前記検索部により検索されたメタ情報に対応するＣＭデータを表示画面に表示させる際に、前記情報により前記価格情報の重畳が認められる場合に前記ＣＭデータの対象商品の価格情報を前記チラシデータのメタ情報から検索して表示画面に重畳させる、データ記憶装置として機能させるための、プログラム。
【発明の詳細な説明】
【技術分野】
【０００１】
本発明は、データ記憶装置、表示制御方法、およびプログラムに関する。
【背景技術】
【０００２】
近日、放送されたＣＭを記憶し、カタログ化されたＣＭの中からユーザにより選択されたＣＭをユーザに提示する装置が提案されている。このようなＣＭの提示に関しては、例えば特許文献１および特許文献２などに記載されている。
【０００３】
なお、ＣＭは個別商品やブランドをアピールできる点で有用であるが、商品宣伝のためのコンテンツ種別はＣＭに限られない。例えば、個別店舗により配信されるユーザの消費意欲を喚起するための特売のチラシや、ある商品の通信販売を行うための番組なども商品宣伝のためのコンテンツに該当する。
【先行技術文献】
【特許文献】
【０００４】
【特許文献１】特開２００２−２１８３７７号公報
【特許文献２】特開２００４−２２９２２８号公報
【発明の概要】
【発明が解決しようとする課題】
【０００５】
しかし、従来は、ＣＭとチラシ、および、番組とＣＭなど、種別が異なるコンテンツを連動させる仕組みが存在しなかった。例えば、ユーザは、ＣＭを見て特定の商品の購買意欲を持った時に当該商品が掲載されたチラシを見たくなる場合があると考えられるが、従来はＣＭとチラシを連動させる仕組みは存在しなかったので、上記のようなユーザの要求に効果的に対応することができなかった。
【０００６】
そこで、本発明は、上記問題に鑑みてなされたものであり、本発明の目的とするところは、各コンテンツのメタ情報をコンテンツ種別ごとのデータベースにおいて管理し、あるデータベースにおいて選択されたメタ情報と同一対象に関するメタ情報を他のデータベースから検索することが可能な、新規かつ改良されたデータ記憶装置、表示制御方法、およびプログラムを提供することにある。
【課題を解決するための手段】
【０００７】
上記課題を解決するために、本発明のある観点によれば、各データベースが１または２以上の対象に関するコンテンツのメタ情報で構成され、データベースごとに前記コンテンツの種別が異なる複数のデータベースを記憶する記憶部と、前記複数のデータベースのうちの１のデータベースを構成するメタ情報が選択されると、前記メタ情報と同一対象に関するメタ情報を前記複数のデータベースのうちの他のデータベースから検索する検索部と、前記検索部による検索結果に応じて表示画面を制御する制御部と、を備えるデータ記憶装置が提供される。
【０００８】
前記複数のデータベースは、ＣＭデータのメタ情報で構成されるデータベース、番組データのメタ情報で構成されるデータベース、およびチラシデータのメタ情報で構成されるデータベースを含んでもよい。
【０００９】
前記制御部は、前記検索部により検索されたメタ情報に対応するコンテンツを表示画面に表示させてもよい。
【００１０】
前記対象は商品であり、前記検索部は、前記チラシデータを構成する複数の商品のメタ情報が選択されると、前記複数の商品に関するメタ情報を前記ＣＭデータのメタ情報で構成されるデータベースから検索し、前記制御部は、前記検索部により検索されたメタ情報に対応するＣＭデータを順次に表示画面に表示させてもよい。
【００１１】
前記制御部は、前記ＣＭデータのメタ情報で構成されるデータベースから前記検索部により複数のＣＭデータが検索されると、前記複数のＣＭデータのプレイリストを前記表示画面に表示させてもよい。
【００１２】
前記制御部は、選択された前記メタ情報と同一対象に関するメタ情報が前記他のデータベースに存在しない場合、代替データを前記表示画面に表示させてもよい。
【００１３】
前記代替データは、ネットワークから取得される前記メタ情報の対象を示す画像データであってもよい。
【００１４】
前記検索部は、前記複数のデータベースのうちで、ユーザにより指定されたデータ種別に対応するデータベースから前記メタ情報を検索する、請求項３に記載の表示制御装置。
【００１５】
前記対象は商品であり、前記制御部は、前記検索部により検索されたメタ情報に対応するＣＭデータを表示画面に表示させる際に、前記ＣＭデータの対象商品の価格情報と当該価格で前記対象商品を提供する店舗の情報を表示画面に重畳させてもよい。
【００１６】
前記ＣＭデータのメタ情報には、前記価格情報の重畳の可否を示す情報が含まれ、前記制御部は、前記情報により前記価格情報の重畳が認められる場合に前記ＣＭデータの対象商品の価格情報を表示画面に重畳させ、前記情報により前記価格情報の重畳が認められない場合、前記データ記憶装置と事前に対応付けられた装置に前記価格情報を表示させてもよい。
【００１７】
前記データ記憶装置は、選択された前記メタ情報と同一対象に関するメタ情報が前記チラシデータのメタ情報で構成されるデータベースに存在しない場合に、前記対象を掲載するチラシデータの送信要求を前記チラシデータの収集機能を有するサーバに送信する送信部をさらに備えてもよい。
【００１８】
前記データ記憶装置は、将来放送される各番組に関連する対象を示す番組関連情報を取得し、前記検索部は、選択された前記メタ情報と同一対象に関するメタ情報が前記番組データのメタ情報で構成されるデータベースに存在しない場合に、前記対象に関連する番組データを前記番組関連情報に基づいて検索し、前記制御部は、前記検索部により検索された番組を予約録画してもよい。
【００１９】
前記データ記憶装置は、将来放送される各ＣＭに関連する対象を示すＣＭ関連情報を取得し、前記検索部は、選択された前記メタ情報と同一対象に関するメタ情報が前記ＣＭデータのメタ情報で構成されるデータベースに存在しない場合に、前記対象に関連するＣＭを前記ＣＭ関連情報に基づいて検索し、前記制御部は、前記検索部により検索されたＣＭを予約録画してもよい。
【００２０】
前記制御部は、前記検索部により検索されたＣＭを含む番組枠全体の予約録画を行なってもよい。
【００２１】
また、上記課題を解決するために、本発明の別の観点によれば、各データベースが１または２以上の対象に関するコンテンツのメタ情報で構成され、データベースごとに前記コンテンツの種別が異なる複数のデータベースを記憶媒体に記録するステップと、前記複数のデータベースのうちの１のデータベースを構成するメタ情報が選択されると、前記メタ情報と同一対象に関するメタ情報を前記複数のデータベースのうちの他のデータベースから検索するステップと、検索結果に応じて表示画面を制御するステップと、を含む表示制御方法が提供される。
【００２２】
また、上記課題を解決するために、本発明の別の観点によれば、コンピュータを、各データベースが１または２以上の対象に関するコンテンツのメタ情報で構成され、データベースごとに前記コンテンツの種別が異なる複数のデータベースを記憶する記憶部と、前記複数のデータベースのうちの１のデータベースを構成するメタ情報が選択されると、前記メタ情報と同一対象に関するメタ情報を前記複数のデータベースのうちの他のデータベースから検索する検索部と、前記検索部による検索結果に応じて表示画面を制御する制御部と、として機能させるためのプログラムが提供される。
【発明の効果】
【００２３】
以上説明したように本発明によれば、各コンテンツのメタ情報をコンテンツ種別ごとのデータベースにおいて管理し、あるデータベースにおいて選択されたメタ情報と同一対象に関するメタ情報を他のデータベースから検索することができる。
【図面の簡単な説明】
【００２４】
【図１】本発明の実施形態による情報処理システムの構成を示した説明図である。
【図２】本実施形態による機器管理サーバの構成を示した機能ブロック図である。
【図３】本実施形態による映像処理機器の構成を示した機能ブロック図である。
【図４】本実施形態による携帯端末の構成を示した機能ブロック図である。
【図５】機器管理サーバが複数のユーザ機器の機器ＩＤを対応付けて登録するための処理を示したシーケンス図である。
【図６】店舗ＩＤを発行するための第１の処理例を示したシーケンス図である。
【図７】店舗ＩＤを発行するための第２の処理例を示したシーケンス図である。
【図８】店舗ＩＤを発行するための第３の処理例を示したシーケンス図である。
【図９】機器ＩＤと店舗ＩＤを対応付けるための第１の処理例を示したシーケンス図である。
【図１０】機器ＩＤと店舗ＩＤを対応付けるための第２の処理例を示したシーケンス図である。
【図１１】機器ＩＤと店舗ＩＤを対応付けるための第３の処理例を示したシーケンス図である。
【図１２】機器ＩＤおよび店舗ＩＤの登録処理後の機器ＩＤや店舗ＩＤの登録状態を模式的に示した説明図である。
【図１３】機器ＩＤや店舗ＩＤの登録状態の他の例を示した説明図である。
【図１４】チラシ画像の具体例を示した説明図である。
【図１５】ユーザ機器がチラシデータを取得するための第１の処理例を示したシーケンス図である。
【図１６】ユーザ機器がチラシデータを取得するための第２の処理例を示したシーケンス図である。
【図１７】チラシ画像を表示するための処理を示した説明図である。
【図１８】チラシ画像を表示するための処理を示した説明図である。
【図１９】ＣＭ再生画面を表示するための処理を示した説明図である。
【図２０】ＣＭ再生画面を表示するための処理を示した説明図である。
【図２１】番組再生画面を表示するための処理を示した説明図である。
【図２２】番組再生画面を表示するための処理を示した説明図である。
【図２３】種別が異なるコンテンツ間の相互検索を模式的に示した説明図である。組再生画面を表示するための処理を示した説明図である。
【図２４】チラシ画像からＣＭを検索して表示する処理を示した説明図である。
【図２５】チラシ画像からＣＭを検索して表示する処理を示した説明図である。
【図２６】ＣＭ再生画面からチラシ画像を検索して表示する処理を示した説明図である。
【図２７】ＣＭ再生画面からチラシ画像を検索して表示する処理を示した説明図である。
【図２８】ＣＭ再生画面から番組を検索して表示する処理を示した説明図である。
【図２９】ＣＭ再生画面から番組を検索して表示する処理を示した説明図である。
【図３０】番組再生画面からＣＭを検索して表示する処理を示した説明図である。
【図３１】番組再生画面からＣＭを検索して表示する処理を示した説明図である。
【図３２】番組再生画面からチラシを検索して表示する処理を示した説明図である。
【図３３】番組再生画面からチラシを検索して表示する処理を示した説明図である。
【図３４】チラシ画像から番組を検索して表示する処理を示した説明図である。
【図３５】チラシ画像から番組を検索して表示する処理を示した説明図である。
【図３６】価格情報が重畳されたＣＭ再生画面の具体例を示した説明図である。
【発明を実施するための形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて店舗装置３０Ａ、および３０Ｂのように区別する。ただし、実質的に同一の機能構成を有する複数の構成要素の各々を特に区別する必要がない場合、同一符号のみを付する。例えば、店舗装置３０Ａ、および３０Ｂを特に区別する必要が無い場合には、単に店舗装置３０と称する。
【００２７】
また、以下に示す項目順序に従って当該「発明を実施するための形態」を説明する。
１．本実施形態による情報処理システムの構成
２．機器管理サーバの構成
３．映像処理機器の構成
４．携帯端末の構成
５．情報処理システムの動作概要
６．各処理の詳細な説明
６−１．ユーザ機器の登録
６−２．店舗への店舗ＩＤの発行
（第１の例）
（第２の例）
（第３の例）
６−３．店舗ＩＤの登録
（第１の例）
（第２の例）
（第３の例）
（登録状態の具体例）
６−４．チラシデータの配信
６−５．各コンテンツの表示
（チラシ画像の表示）
（ＣＭ再生画面の表示）
（番組再生画面の表示）
６−６．コンテンツの相互検索
（パターンＡ：チラシ→ＣＭ）
（パターンＢ：ＣＭ→チラシ）
（パターンＣ：ＣＭ→番組）
（パターンＤ：番組→ＣＭ）
（パターンＥ：番組→チラシ）
（パターンＦ：チラシ→番組）
７．補足
【００２８】
＜１．本実施形態による情報処理システムの構成＞
まず、図１を参照し、本発明の実施形態による情報処理システム１の構成を説明する。
【００２９】
図１は、本発明の実施形態による情報処理システム１の構成を示した説明図である。図１に示したように、本発明の実施形態による情報処理システム１は、機器管理サーバ１０、ネットワーク１２、放送局１４、映像処理機器２０、携帯端末２２、表示装置２４、店舗装置３０Ａおよび３０Ｂを備える。ここで、映像処理機器２０、携帯端末２２、および表示装置２４は、あるユーザＡが利用するユーザ機器群である。ただし、ユーザという語は、単一ユーザ、および複数ユーザの双方の概念を含む。例えば、映像処理機器２０、携帯端末２２、および表示装置２４を利用または所有するユーザＡは、単一ユーザであっても、複数ユーザからなる家族などであってもよい。
【００３０】
また、図１においては、ユーザＡの有するユーザ機器群を一例として示しているに過ぎず、情報処理システム１は多数のユーザのユーザ機器群を備えてもよい。同様に、図１においては、店舗装置３０の一例として店舗装置３０Ａおよび３０Ｂのみを示しているが、情報処理システム１は多数の店舗装置３０を備えてもよい。
【００３１】
機器管理サーバ１０、ユーザ機器群、および店舗装置３０は、ネットワーク１２を介して接続される。ネットワーク１２は、ネットワーク１２に接続されている装置から送信される情報の有線、または無線の伝送路である。例えば、ネットワーク１２は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、ネットワーク１２は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００３２】
放送局１４は、番組やＣＭなどのコンテンツを放送する。例えば、放送局１４は、ＢＳ（Ｂｒｏａｄｃａｓｔ  Ｓａｔｅｌｌｉｔｅ）放送、ＣＳ（ｃｏｍｍｕｎｉｃａｔｉｏｎｓ  ｓａｔｅｌｌｉｔｅ）放送、地上波デジタル放送、地上波アナログ放送、またはケーブル放送など任意の方式のテレビジョン放送によりコンテンツを送信する。
【００３３】
また、放送局１４は、番組やＣＭなどのコンテンツに付随して、各番組や各ＣＭのメタ情報も送信する。番組メタ情報としては、番組ＩＤ、タイトル、出演者、制作スタッフ、ジャンル、制作年、番組に登場する商品の識別情報（例えば、商品ＩＤ、商品名、商品ジャンル）、および番組に登場する店舗の識別情報などがあげられる。また、ＣＭメタ情報としては、ＣＭのＩＤ、タイトル、ＣＭの長さ、スポンサＩＤ、宣伝対象の商品の識別情報（例えば、商品ＩＤ、商品名、商品ジャンル）などがあげられる。
【００３４】
店舗装置３０は、店舗の運営者が利用する装置であり、店舗に応じた情報のデータベースを記憶している。例えば、店舗が商品を販売する個人商店である場合、店舗装置３０は、店舗で取り扱っている商品の商品情報データベースを記憶している。また、店舗装置３０は、ユーザ機器からの要求に応じて商品情報を提供する情報提供元として機能する。なお、店舗装置３０は、実店舗に対応する装置に限られず、ネットワーク上のＷｅｂページを介して商品販売を行う仮想店舗に対応する装置であってもよい。
【００３５】
また、各店舗には機器管理サーバ１０により店舗ＩＤ（提供元ＩＤ）が発行され、例えば、各店舗内に店舗ＩＤが書き込まれたＲＦタグ、または店舗ＩＤが埋め込まれたＱＲコードが配される。
【００３６】
ユーザ機器は、ネットワーク通信機能、コンテンツ再生機能、および非接触通信機能などを有する。例えば、映像処理機器２０（データ記憶装置）は、放送局１４から送信されるコンテンツを再生し、表示装置２４は、映像処理機器２０により再生されたコンテンツを表示する。また、携帯端末２２は、ＲＦタグ、および非接触通信による読取りおよび書き込みを行うＲ（Ｒｅａｄｅｒ）／Ｗ（Ｗｒｉｔｅｒ）を備え、各店舗に設けられたＲＦタグから店舗ＩＤを読み取ることができる。
【００３７】
なお、図１においては、ユーザ機器の一例として映像処理機器２０、携帯端末２２、および表示装置２４を示しているが、ユーザ機器は上記の例に限定されない。例えば、ユーザ機器は、ＰＣ（Ｐｅｒｓｏｎａｌ  Ｃｏｍｐｕｔｅｒ）、家庭用ゲーム機器、家電機器などの情報処理装置であってもよい。また、ユーザ機器は、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの情報処理装置であってもよい。
【００３８】
機器管理サーバ１０（情報処理装置）は、ユーザ機器をユーザごとに対応付けて管理する。例えば、機器管理サーバ１０は、ユーザＡが利用する映像処理機器２０の機器ＩＤ、携帯端末２２の端末ＩＤ、および携帯端末２２に設けられたＲＦタグのタグＩＤを対応付けて登録する。その他、機器管理サーバ１０は、詳細については後述するが、店舗ＩＤの発行、および店舗ＩＤとユーザ機器の対応付けなどを行う。
【００３９】
＜２．機器管理サーバの構成＞
以上、図１を参照して情報処理システム１の構成を説明した。続いて、図２を参照し、機器管理サーバ１０の構成を説明する。
【００４０】
図２は、本実施形態による機器管理サーバ１０の構成を示した機能ブロック図である。図２に示したように、機器管理サーバ１０は、ＲＯＭ１０２、ＲＡＭ１０４、バス１０６、ネットワーク通信部１０８、ＩＤ発行部１１０、登録処理部１１２、記憶部１１４、およびチラシ管理部１２０を備える。機器管理サーバ１０の各構成は、バス１０６を介して接続されている。
【００４１】
ＲＯＭ（Ｒｅａｄ  Ｏｎｌｙ  Ｍｅｍｏｒｙ）１０２は、機器管理サーバ１０の各構成を実現するＣＰＵ（Ｃｅｎｔｒａｌ  Ｐｒｏｃｅｓｓｉｎｇ  Ｕｎｉｔ）が使用するプログラムや演算パラメータ等を記憶する。また、ＲＡＭ（Ｒａｎｄｏｍ  Ａｃｃｅｓｓ  Ｍｅｍｏｒｙ）１０４は、ＣＰＵが使用するプログラムや、その実行において適宜変化するパラメータ等を一時記憶する。
【００４２】
ネットワーク通信部１０８は、ネットワーク１２とのインターフェースであり、ネットワーク１２を介してユーザ機器や店舗装置３０と情報を送受信する送信部および受信部として機能する。
【００４３】
ＩＤ発行部１１０は、店舗装置３０に店舗ＩＤを発行するための処理を行う。店舗ＩＤの発行については、「６−２．店舗への店舗ＩＤの発行」において詳細に説明する。
【００４４】
登録処理部１１２（登録部）は、１のユーザのユーザ機器の機器ＩＤ（端末ＩＤ、およびタグＩＤを含む）を対応付けて記憶部１１４に登録する。このユーザ機器の機器ＩＤの登録については、「６−１．ユーザ機器の登録」において詳細に説明する。また、登録処理部１１２は、ネットワーク通信部１０８により機器ＩＤと併せて店舗ＩＤが受信されると、店舗ＩＤを機器ＩＤと対応付けて記憶部１１４に登録する。この店舗ＩＤの登録については、「６−３．店舗ＩＤの登録」において詳細に説明する。
【００４５】
チラシ管理部１２０は、広告情報検索部および機器検索部としての機能を有し、店舗により広告情報である電子チラシが作成されると、当該店舗の店舗ＩＤと対応付けられたユーザ機器に電子チラシが提供されるよう動作する。この電子チラシ、および電子チラシの提供方法については、「６−４．チラシデータの配信」において詳細に説明する。
【００４６】
＜３．映像処理機器の構成＞
次に、図３を参照し、本実施形態による映像処理機器２０の構成を説明する。
【００４７】
図３は、本実施形態による映像処理機器２０の構成を示した機能ブロック図である。図３に示したように、映像処理機器２０は、ＲＯＭ２０２、ＲＡＭ２０４、バス２０６、ネットワーク通信部２０８、放送受信部２１０、ユーザ入力部２１２、データ記憶部２１４、映像・音声入出力部２１６、表示生成部２１８、記録処理部２２０、ＣＭ判別部、検索部２２４および中央制御部２２６を備える。
【００４８】
ＲＯＭ２０２は、映像処理機器２０の各構成を実現するＣＰＵが使用するプログラムや演算パラメータ等を記憶する。また、ＲＡＭ２０４は、映像処理機器２０のＣＰＵが使用するプログラムや、その実行において適宜変化するパラメータ等を一時記憶する。
【００４９】
ネットワーク通信部２０８は、ネットワーク１２とのインターフェースであり、ネットワーク１２を介して機器管理サーバ１０と情報を送受信する送信部および受信部として機能する。放送受信部２１０は、放送局１４から送信された番組データやＣＭデータなどのコンテンツデータ、および付随するメタ情報を受信する。
【００５０】
ユーザ入力部２１２は、ユーザが情報や指示などを入力するための構成である。例えば、ユーザは、ユーザ入力部２１２を介して番組選択、録画予約、および商品情報の要求などを行うことができる。なお、このユーザ入力部２１２は、例えば、マウス、キーボード、タッチパネル、ボタン、マイクロフォン、スイッチ、またはリモートコントローラの受光部であってもよい。
【００５１】
データ記憶部２１４は、放送受信部２１０により受信された番組データやＣＭデータ、およびネットワーク通信部２０８を介して取得される電子チラシなどのコンテンツデータからなるコンテンツＤＢを有する。また、データ記憶部２１４は、コンテンツのメタ情報のデータベースを複数有し、各データベースは異なるコンテンツ種別のメタ情報を含む。具体的には、データ記憶部２１４は、ＣＭメタ情報からなＣＭメタ情報ＤＢ、番組メタ情報からなる番組メタ情報ＤＢ、およびチラシメタ情報からなるチラシメタ情報ＤＢを有する。
【００５２】
なお、このデータ記憶部２１４は、不揮発性メモリ、磁気ディスク、光ディスク、およびＭＯ（Ｍａｇｎｅｔｏ  Ｏｐｔｉｃａｌ）ディスクなどの記憶媒体であってもよい。不揮発性メモリとしては、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）があげられる。また、磁気ディスクとしては、ハードディスクおよび円盤型磁性体ディスクなどがあげられる。また、光ディスクとしては、ＣＤ（Ｃｏｍｐａｃｔ  Ｄｉｓｃ）、ＤＶＤ−Ｒ（Ｄｉｇｉｔａｌ  Ｖｅｒｓａｔｉｌｅ  Ｄｉｓｃ  Ｒｅｃｏｒｄａｂｌｅ）およびＢＤ（Ｂｌｕ−Ｒａｙ  Ｄｉｓｃ（登録商標））などがあげられる。
【００５３】
映像・音声入出力部２１６は、外部装置と映像・音声を入出力するための構成である。例えば、映像・音声入出力部２１６は、表示生成部２１８により再生されたコンテンツを表示装置２４へ出力する。
【００５４】
表示生成部２１８は、中央制御部２２６による制御に基づいて表示装置２４に表示させる表示画面を制御する制御部として機能する。例えば、表示生成部２１８は、番組データやＣＭデータなどのコンテンツを再生し、コンテンツの再生画面を生成する。また、表示生成部２１８は、中央制御部２２６による制御に基づいてメニュー画面やコンテンツリストなど多様な表示画面を生成する。
【００５５】
記録処理部２２０は、中央制御部２２６による制御に基づき、放送受信部２１０により受信された番組データや、ネットワーク通信部２０８により受信された電子チラシなどをコンテンツＤＢに記録する。また、記録処理部２２０は、放送受信部２１０により受信された番組データのメタ情報を番組メタ情報ＤＢに記録し、ネットワーク通信部２０８により受信された電子チラシのチラシメタ情報をチラシメタ情報ＤＢに記録する。
【００５６】
ＣＭ判別部２２２は、放送受信部２１０により受信された放送波のうちのＣＭデータ部分を判別する。これにより、放送波からＣＭデータを番組データと分離して抽出し、ＣＭカタログを生成することが可能となる。
【００５７】
検索部２２４は、データ記憶部２１４が記憶する複数のデータベースのうちの１のデータベースを構成するメタ情報がユーザにより選択されると、当該メタ情報と同一商品に関するメタ情報を複数のデータベースのうちの他のデータベースから検索する。例えば、検索部２２４は、チラシメタ情報ＤＢを構成する１の商品のメタ情報がユーザにより選択されると、当該商品に関するメタ情報をＣＭメタ情報ＤＢまたは番組メタ情報ＤＢから検索する。
【００５８】
中央制御部２２６は、映像処理機器２０の動作全般を制御する。例えば、中央制御部２２６は、ユーザにより表示画面を介して商品のメタ情報が選択されると、検索部２２４に他のデータベースからのメタ情報の検索を指示する。また、中央制御部２２６は、受信チャネルを放送受信部２１０に指示したり、ネットワーク通信部２０８による通信を制御したり、表示生成部２１８へ表示画面の生成やコンテンツの再生などを指示する。
【００５９】
＜４．携帯端末の構成＞
続いて、図４を参照し、本実施形態による携帯端末２２の構成を説明する。
【００６０】
図４は、本実施形態による携帯端末２２の構成を示した機能ブロック図である。図４に示したように、携帯端末２２は、ＲＯＭ２５２と、ＲＡＭ２５４と、バス２５６と、ネットワーク通信部２５８と、ＲＦタグ２６０と、Ｒ／Ｗ２６２と、ＱＲコード読取り部２６４と、ユーザ入力部２６６と、表示生成部２６８と、表示部２７０と、中央制御部２７２と、を備える。
【００６１】
ＲＯＭ２５２は、携帯端末２２の各構成を実現するＣＰＵが使用するプログラムや演算パラメータ等を記憶する。また、ＲＡＭ２５４は、携帯端末２２のＣＰＵが使用するプログラムや、その実行において適宜変化するパラメータ等を一時記憶する。
【００６２】
ネットワーク通信部２５８は、ネットワーク１２とのインターフェースであり、ネットワーク１２を介して機器管理サーバ１０と情報を送受信する送信部および受信部として機能する。
【００６３】
ＲＦタグ２６０は、認証情報および電子マネー情報など多様な情報を格納することが可能である。ＲＦタグ２６０への情報の書き込み、およびＲＦタグ２６０からの情報の読み出しは外部のＲ／Ｗにより行われる。なお、このＲＦタグ２６０には、ＲＦタグ２６０を識別するタグＩＤが付されている。
【００６４】
Ｒ／Ｗ２６２は、外部のＲＦタグへの情報の書き込み、および外部のＲＦタグからの情報の読み出しなどを行う。本実施形態においては、Ｒ／Ｗ２６２は、例えば店舗に配されたＲＦタグから店舗ＩＤを読み出すために用いられる。
【００６５】
ＱＲコード読取り部２６４は、画像として表示されたＱＲコード（二次元バーコード）を撮像し、撮像した画像を処理することによりＱＲコードに埋め込まれた情報を読み取る。本実施形態においては、ＱＲコード読取り部２６４は、例えば店舗に配されたＱＲコードから店舗ＩＤを読み取るために用いられる。
【００６６】
ユーザ入力部２６６は、ユーザが情報や指示などを入力するための構成である。例えば、ユーザは、表示部２７０に表示された商品の購入指示をユーザ入力部２６６に入力することができる。このユーザ入力部２６６は、キーボード、タッチパネル、またはボタンなどであってもよい。
【００６７】
表示生成部２６８は、ユーザ操作画面や、ネットワーク通信部２５８により受信される情報の表示画面など多様な表示画面を生成する。表示部２７０は、表示生成部２６８により生成された表示画面を表示する。
【００６８】
中央制御部２７２は、携帯端末２２の動作全般を制御する。例えば、中央制御部２７２は、ネットワーク通信部２５８による通信を制御したり、Ｒ／Ｗ２６２やＱＲコード読取り部２６４を起動させたり、表示生成部２６８に表示画面の生成を指示したりする。
【００６９】
＜５．情報処理システムの動作概要＞
以上、本実施形態による情報処理システム１を構成する機器管理サーバ１０、映像処理機器２０、および携帯端末２２の構成を説明した。続いて、本実施形態による情報処理システム１の動作の概要を説明する。本実施形態による情報処理システム１における主要動作は、以下の通りである。
【００７０】
（１）機器管理サーバ１０が、ユーザ機器の機器ＩＤを相互に対応付けて登録する。
（２）機器管理サーバ１０が、各店舗に店舗ＩＤを発行する。
（３）機器管理サーバ１０が、ユーザのお気に入りの店舗の店舗ＩＤを、当該ユーザのユーザ機器の機器ＩＤに対応付けて登録する。
（４）チラシデータをユーザ機器に配信する。
（５）ユーザ機器においてチラシ画像、ＣＭまたは番組などのコンテンツを表示する。
（６）ユーザ操作に基づき、同一商品に関する他の種別のコンテンツを検索し、表示する。
【００７１】
なお、上記（１）については「６−１．ユーザ機器の登録」において詳細に説明し、上記（２）については「６−２．店舗への店舗ＩＤの発行」において詳細に説明し、上記（３）については「６−３．店舗ＩＤの登録」において詳細に説明する。また、上記（４）については「６−４．チラシデータの配信」において詳細に説明する。また、上記（５）については「６−５．各コンテンツの表示」において詳細に説明し、上記（６）については「６−６．コンテンツの相互検索」において詳細に説明する。
＜６．各処理の詳細な説明＞
［６−１．ユーザ機器の登録］
図５は、機器管理サーバ１０が複数のユーザ機器の機器ＩＤを対応付けて登録するための処理を示したシーケンス図である。図５に示したように、まず、映像処理機器２０が登録メニューを起動する。そして、映像処理機器２０の中央制御部２２６がワンタイムパスワードを生成し、表示生成部２１８が映像処理機器２０の機器ＩＤ、機器管理サーバ１０のＵＲＬ、および暗号化ワンタイムパスワードが埋め込まれたＱＲコードを生成し、表示装置２４がＱＲコードを表示する（Ｓ３０２）。
【００７２】
一方、携帯端末２２がＱＲコード読取り部２６４を起動し（Ｓ３０４）、ＱＲコード読取り部２６４が、表示装置２４に表示されたＱＲコードから、機器ＩＤ、機器管理サーバ１０のＵＲＬ、および暗号化ワンタイムパスワードを読み取る（Ｓ３０６）。その後、携帯端末２２は、映像処理機器２０の機器ＩＤ、携帯端末２２の端末ＩＤ、および暗号化ワンタイムパスワードを、ネットワーク通信部２５８から機器管理サーバ１０へ送信する（Ｓ３０８）。
【００７３】
また、映像処理機器２０は、ネットワーク通信部２５８から登録確認要求として映像処理機器２０の機器ＩＤとワンタイムパスワードを機器管理サーバ１０へ送信する（Ｓ３１０）。
【００７４】
その後、機器管理サーバ１０の登録処理部１１２は、携帯端末２２から受信した暗号化ワンタイムパスワードの正当性を判断し、暗号化ワンタイムパスワードが正当である場合、携帯端末２２から受信した機器ＩＤおよび端末ＩＤを対付けて記憶部１１４に登録する（Ｓ３１２）。例えば、登録処理部１１２は、映像処理機器２０から受信したワンタイムパスワードを暗号化し、暗号化したワンタイムパスワードと携帯端末２２から受信した暗号化ワンタイムパスワードが一致するか否かに基づいて正当性を判断してもよい。登録が完了すると、機器管理サーバ１０は携帯端末２２に登録完了通知を送信する（Ｓ３１６）。
【００７５】
続いて、携帯端末２２が、ＲＦタグのタグＩＤ登録用アプリのダウンロードを機器管理サーバ１０に要求し（Ｓ３１８）、機器管理サーバ１０からタグＩＤの登録用アプリが送信される（Ｓ３２０）。そして、携帯端末２２は、登録用アプリに基づいてＲＦタグ２６０のタグＩＤを読み出し（Ｓ３２２）、読み出したタグＩＤを端末ＩＤと共に機器管理サーバ１０へ送信する（Ｓ３２４）。
【００７６】
機器管理サーバ１０の登録処理部１１２は、携帯端末２２から端末ＩＤおよびタグＩＤが受信されると、タグＩＤを、既に登録済みの端末ＩＤと対応付けて記憶部１１４に登録する（Ｓ３２６）。そして、登録が完了すると、機器管理サーバ１０は携帯端末２２に登録完了通知を送信する（Ｓ３２８）。
【００７７】
以上の処理により、映像処理機器２０の機器ＩＤ、携帯端末２２の端末ＩＤ、および携帯端末２２に設けられたＲＦタグのタグＩＤを機器管理サーバ１０において対応付けて登録することができる。なお、上記の処理は機器ＩＤの登録のための一例に過ぎず、本発明はかかる例に限定されない。また、上記と同様の処理により、より多数のユーザ機器の機器ＩＤを対応付けて登録することも可能である。
【００７８】
［６−２．店舗への店舗ＩＤの発行］
機器管理サーバ１０は、各店舗に多様な方法により店舗ＩＤを発行することができる。以下では、その一例として、店舗ＩＤを発行するための第１の処理例〜第３の処理例を説明する。
【００７９】
（第１の例）
図６は、店舗ＩＤを発行するための第１の処理例を示したシーケンス図である。図６に示したように、まず、店舗装置３０は店舗用のＲＦタグ作成アプリケーションを起動し（Ｓ３３２）、機器管理サーバ１０に店舗ＩＤの発行を要求する（Ｓ３３４）。ここで、店舗装置３０はＲ／Ｗと接続されており、当該Ｒ／Ｗおよび店舗装置３０を介してＲＦタグ３２と機器管理サーバ１０が相互認証を行う（Ｓ３３６）。そして、機器管理サーバ１０のＩＤ発行部１１０が店舗ＩＤを発行し、発行された店舗ＩＤをＲ／ＷがＲＦタグ３２に書き込む（Ｓ３３８）。
【００８０】
続いて、店舗装置３０が商品情報ＤＢへのアクセス情報を機器管理サーバ１０へ送信する（Ｓ３４０）。そして、機器管理サーバ１０において当該アクセス情報が店舗ＩＤと対応付けて登録されると（Ｓ３４２）、機器管理サーバ１０から店舗装置３０へ登録完了通知が送信される（Ｓ３４４）。
【００８１】
その後、店舗のスタッフが、店舗ＩＤが書き込まれたＲＦタグ３２を店舗内に配置する（Ｓ３４６）。これにより、店舗に立ち寄ったユーザが、携帯端末２２のＲ／Ｗ２６２をＲＦタグ３２にかざすことにより店舗ＩＤを取得することが可能となる。なお、ＲＦタグ３２は、図６に示したようにＩＣカードであってもよい。
【００８２】
また、店舗のスタッフが書面で店舗ＩＤの発行を要求し、機器管理サーバ１０側でＲＦタグに店舗ＩＤを書き込み、店舗ＩＤが書き込まれたＲＦタグを店舗側に郵送することも可能である。
【００８３】
（第２の例）
図７は、店舗ＩＤを発行するための第２の処理例を示したシーケンス図である。図７に示したように、まず、店舗装置３０はＱＲコード作成アプリケーションを起動し（Ｓ３５２）、機器管理サーバ１０にＱＲコードの発行を要求する（Ｓ３５４）。続いて、店舗装置３０のＩＤ発行部１１０が、店舗ＩＤを発行し、発行した店舗ＩＤが埋め込まれたＱＲコードを生成する（Ｓ３５６）。その後、店舗装置３０は、生成されたＱＲコードを店舗装置３０に発行する（Ｓ３５８）。
【００８４】
続いて、店舗装置３０が商品情報ＤＢへのアクセス情報を機器管理サーバ１０へ送信する（Ｓ３６０）。そして、機器管理サーバ１０において当該アクセス情報が店舗ＩＤと対応付けて登録されると（Ｓ３６２）、機器管理サーバ１０から店舗装置３０へ登録完了通知が送信される（Ｓ３６４）。
【００８５】
その後、店舗のスタッフが、発行されたＱＲコードを印刷し、店舗内に掲示する（Ｓ３６６）。これにより、店舗に立ち寄ったユーザが、携帯端末２２のＱＲコード読取り部２６４を用いて店舗内に掲示されたＱＲコードから店舗ＩＤを取得することが可能となる。
【００８６】
なお、店舗のスタッフが書面でＱＲコードの発行を要求し、機器管理サーバ１０側で店舗ＩＤが埋め込まれたＱＲコードを印刷し、印刷したＱＲコードを店舗側に郵送することも可能である。
【００８７】
（第３の例）
図８は、店舗ＩＤを発行するための第３の処理例を示したシーケンス図である。図８に示したように、まず、店舗装置３０はＩＤ管理アプリケーションを起動し（Ｓ３７２）、機器管理サーバ１０に店舗ＩＤの発行を要求する（Ｓ３７４）。続いて、機器管理サーバ１０は、店舗ＩＤを発行し、発行した店舗ＩＤ、およびＩＤ送信先サーバ情報として自身へのアクセス情報を店舗装置３０に送信する（Ｓ３７６）。
【００８８】
続いて、店舗装置３０が商品情報ＤＢへのアクセス情報を機器管理サーバ１０へ送信する（Ｓ３７８）。そして、機器管理サーバ１０において当該アクセス情報が店舗ＩＤと対応付けて登録されると（Ｓ３８０）、機器管理サーバ１０から店舗装置３０へ登録完了通知が送信される（Ｓ３８２）。
【００８９】
その後、店舗内に、ユーザのＲＦタグからタグＩＤを読み取るためのＲ／Ｗ３４を配置する（Ｓ３８４）。この第３の処理例によれば、店舗装置３０が、Ｒ／Ｗ３４により読取られるユーザのＲＦタグのタグＩＤを、Ｓ３７６において発行された店舗ＩＤと併せて機器管理サーバ１０に送信することが可能である。
【００９０】
［６−３．店舗ＩＤの登録］
機器管理サーバ１０は、ユーザ機器の機器ＩＤと店舗ＩＤとの対応付けを多様な方法により行うことができる。以下では、その一例として、機器ＩＤと店舗ＩＤを対応付けるための第１の処理例〜第３の処理例を説明する。
【００９１】
（第１の例）
図９は、機器ＩＤと店舗ＩＤを対応付けるための第１の処理例を示したシーケンス図である。この第１の処理例は、「６−２．店舗への店舗ＩＤの発行」で説明した第１の例または第２の例の後に続く処理である。
【００９２】
図９に示したように、まず、携帯端末２２がＲ／Ｗ２６２を起動し（Ｓ４０２）、携帯端末２２が店舗内に配置されたＲＦタグ３２にかざされると、ＲＦタグ３２から店舗ＩＤが読み出される（Ｓ４０４）。なお、店舗内にＱＲコードが掲示されている場合、携帯端末２２は、ＱＲコード読取り部２６４を起動し、ＱＲコードから店舗ＩＤを読み取ることができる。また、当該店舗がＷｅｂページ上にＱＲコードを表示する仮想店舗である場合にも、携帯端末２２はＱＲコード読取り部２６４を起動し、ＱＲコードから店舗ＩＤを読み取ることができる。
【００９３】
そして、携帯端末２２は、取得した店舗ＩＤと携帯端末２２の端末ＩＤを機器管理サーバ１０に送信する（Ｓ４０６）。すると、機器管理サーバ１０の登録処理部１１２が、携帯端末２２から受信された店舗ＩＤを、登録済の携帯端末２２の端末ＩＤと対応付けて記憶部１１４に登録する（Ｓ４０８）。そして、機器管理サーバ１０は、登録が完了すると、登録完了通知を携帯端末２２に送信する（Ｓ４１０）。
【００９４】
（第２の例）
図１０は、機器ＩＤと店舗ＩＤを対応付けるための第２の処理例を示したシーケンス図である。この第２の処理例は、「６−２．店舗への店舗ＩＤの発行」で説明した第３の例の後に行われる処理である。
【００９５】
図１０に示したように、店舗内に配置されたＲ／Ｗ３４に携帯端末２２のＲＦタグ２６０がかざされると（Ｓ４１２）、Ｒ／Ｗ３４がＲＦタグ２６０のタグＩＤを読み取る（Ｓ４１４）。そして、店舗装置３０が、Ｒ／Ｗ３４により読取られたタグＩＤを、機器管理サーバ１０から発行済の店舗ＩＤと併せて機器管理サーバ１０に送信する（Ｓ４１６）。なお、店舗に電子決済に対応するレジが存在する場合には、ＲＦタグ２６０を用いた決済時に、課金情報と共に当該レジにおいてＲＦタグ２６０のタグＩＤを取得することも可能である。
【００９６】
続いて、機器管理サーバ１０の登録処理部１１２が、店舗装置３０から受信された店舗ＩＤを、登録済であるタグＩＤと対応付けて記憶部１１４に登録する（Ｓ４１８）。そして、機器管理サーバ１０は、登録が完了すると、登録完了通知を店舗装置３０に送信する（Ｓ４２０）。
【００９７】
さらに、機器管理サーバ１０は、店舗装置３０から受信したタグＩＤに対応する端末ＩＤを検索し（Ｓ４２２）、端末ＩＤに紐付けられた通知先（例えば、携帯端末２２のメールアドレス）へ新規店舗を登録した旨を通知する（Ｓ４２４）。
【００９８】
（第３の例）
図１１は、機器ＩＤと店舗ＩＤを対応付けるための第３の処理例を示したシーケンス図である。この第３の処理例は、店舗装置３０が店舗のホームページやＥＣ（Ｅｌｅｃｔｒｏｎｉｃ  Ｃｏｍｍｅｒｃｅ）サイトなどのＷｅｂページを提供する仮想店舗装置であり、店舗装置３０に店舗ＩＤが発行された後に行われる処理である。
【００９９】
図１１に示したように、まず、店舗装置３０からユーザＰＣ２６にＷｅｂページが送信されると、ユーザＰＣ２６がＷｅｂページを表示する（Ｓ４３４）。続いて、Ｗｅｂページに配置された所定のボタンがユーザにより選択され、ユーザＰＣ２６に接続されたＲ／Ｗ２８に携帯端末２２がかざされると（Ｓ４３６）、Ｒ／Ｗ２８が携帯端末２２のＲＦタグ２６０のタグＩＤを読み取る（Ｓ４３８）。そして、ユーザＰＣ２６は、Ｒ／Ｗ２８により読取られたタグＩＤを店舗装置３０に送信する（Ｓ４４０）。
【０１００】
その後、店舗装置３０が、ユーザＰＣ２６から受信したタグＩＤを、機器管理サーバ１０から発行済の店舗ＩＤと併せて機器管理サーバ１０に送信する（Ｓ４４２）。続いて、機器管理サーバ１０の登録処理部１１２が、店舗装置３０から受信された店舗ＩＤを、登録であるタグＩＤと対応付けて記憶部１１４に登録する（Ｓ４４４）。そして、機器管理サーバ１０は、登録が完了すると、登録完了通知を店舗装置３０に送信する（Ｓ４４６）。
【０１０１】
さらに、機器管理サーバ１０は、店舗装置３０から受信したタグＩＤに対応する端末ＩＤを検索し（Ｓ４４８）、端末ＩＤに紐付けられた通知先（例えば、携帯端末２２のメールアドレス）へ新規店舗を登録した旨を通知する（Ｓ４５０）。
【０１０２】
（登録状態の具体例）
続いて、以上説明した登録処理後の機器ＩＤや店舗ＩＤの登録状態の具体例を説明する。
【０１０３】
図１２は、機器ＩＤおよび店舗ＩＤの登録処理後の機器ＩＤや店舗ＩＤの登録状態を模式的に示した説明図である。図１２に示したように、「６−１．ユーザ機器の登録」で説明した処理により、機器ＩＤ、端末ＩＤ、およびタグＩＤが対応付けて登録される。
【０１０４】
さらに、「６−３．店舗ＩＤの登録」で説明した処理により、端末ＩＤやタグＩＤに店舗ＩＤが対応付けて登録される。具体的には、図１２に示した例では、端末ＩＤと「店舗０１」および「店舗０２」が対応付けられ、タグＩＤに「店舗０３」および「店舗０４」が対応付けられている。これら「店舗１」〜「店舗４」はユーザの仮想ショッピングモールを構成する。
【０１０５】
なお、機器ＩＤ、端末ＩＤ、およびタグＩＤは対応付けられているため、機器ＩＤ、端末ＩＤ、およびタグＩＤのいずれかのＩＤに直接対応付けられている店舗ＩＤは、他のＩＤに間接的に対応付けられていると捉えることができる。例えば、端末ＩＤには、「店舗０３」および「店舗０４」が間接的に対応付けられていると捉えてもよい。
【０１０６】
また、機器管理サーバ１０は、図１３に示すように、店舗ＩＤにジャンル情報を対応付けて登録することも可能である。
【０１０７】
図１３は、機器ＩＤや店舗ＩＤの登録状態の他の例を示した説明図である。図１３に示した例では、「店舗０１」および「店舗０２」にジャンル情報として「本屋」が対応付けられ、「店舗０３」および「店舗０４」にジャンル情報として「酒屋」が対応付けられている。このような対応付けは、例えば以下に示す方法により実現することができる。
【０１０８】
（例１）店舗内に配置するＲＦタグ３２に、ジャンル情報を書き込んでおく。そして、携帯端末２２は、ＲＦタグ３２から店舗ＩＤとジャンル情報を読み取ると、店舗ＩＤ、端末ＩＤ、およびジャンル情報を機器管理サーバ１０に送信する。これにより、機器管理サーバ１０において端末ＩＤに店舗ＩＤおよびジャンル情報を対応付けて登録することが可能となる。
（例２）店舗内に配置するＲＦタグ３２から店舗ＩＤを読み取った携帯端末２２において、ユーザがジャンル情報を入力する。そして、携帯端末２２が、ユーザにより入力されたジャンル情報を、店舗ＩＤおよび端末ＩＤと共に機器管理サーバ１０に送信する。これにより、機器管理サーバ１０において端末ＩＤに店舗ＩＤおよびジャンル情報を対応付けて登録することが可能となる。また、ユーザは、多様な商品を扱う店舗に対して、例えば「私はこの店舗からはこのジャンルの商品を買う」、という意向を登録情報に反映させることができる。
【０１０９】
［６−４．チラシデータの配信］
上記の登録処理が終了すると、映像処理機器２０などのユーザ機器は、店舗装置３０から配信されるチラシデータを取得することができる。ここで、チラシデータは、図１４に示したように、「佐藤カメラ」という店舗名や、商品画像および商品価格などを含む。また、このチラシデータには例えばＸＭＬファイルで構成されるチラシメタ情報が付随する。チラシメタ情報には、店舗名、チラシデータに掲載されている商品名、および商品ＩＤなどが含まれる。ユーザは、このようなチラシデータを、図１５または図１６に示すシーケンスにより取得することができる。
【０１１０】
図１５は、ユーザ機器がチラシデータを取得するための第１の処理例を示したシーケンス図である。図１５に示したように、店舗装置３０は、チラシデータを作成し、チラシデータを保存すると（Ｓ５５２）、店舗ＩＤおよびチラシデータの取得用ＵＲＬを含むチラシデータの更新通知を機器管理サーバ１０に送信する（Ｓ５５４）。
【０１１１】
続いて、機器管理サーバ１０のチラシ管理部１２０は、更新通知に含まれる店舗ＩＤに対応付けられた機器ＩＤを検索し（Ｓ５５６）、検索した機器ＩＤを有する映像処理機器２０に、チラシデータの取得用ＵＲＬを含むチラシデータの取得用情報を通知する（Ｓ５５８）。
【０１１２】
そして、映像処理機器２０は、取得用情報に含まれる取得用ＵＲＬに対してチラシデータの取得要求を送信する（Ｓ５６０）。ここで、映像処理機器２０は、付加情報として映像処理機器２０の位置データを送信してもよい。
【０１１３】
続いて、店舗装置３０は、映像処理機器２０の位置データ（例えば、郵便番号）に基づいてチラシデータをカスタマイズし（Ｓ５６２）、カスタマイズ後のチラシデータを映像処理機器２０に送信する（Ｓ５６４）。例えば、店舗装置３０は、映像処理機器２０と近い支店店舗での特売商品をチラシデータに組み込むことによりチラシデータをカスタマイズしてもよい。
【０１１４】
その後、映像処理機器２０は、店舗装置３０から受信したチラシデータおよびチラシメタ情報をデータ記憶部２１４に記録し（Ｓ５６６）、ユーザの要求に応じてチラシデータを表示する（Ｓ５６８）。
【０１１５】
図１６は、ユーザ機器がチラシデータを取得するための第２の処理例を示したシーケンス図である。図１６に示したように、店舗装置３０は、チラシデータを作成すると（Ｓ５７２）、店舗ＩＤおよびチラシデータの取得用ＵＲＬを含むチラシデータの更新通知を機器管理サーバ１０に送信する（Ｓ５７４）。
【０１１６】
続いて、機器管理サーバ１０が、更新通知に含まれる取得用ＵＲＬに対してチラシデータの取得要求を送信し（Ｓ５７６）、店舗装置３０からチラシデータおよび店舗ＩＤが受信されると（Ｓ５７８）、チラシデータを店舗ＩＤと対応付けて記録する（Ｓ５８０）。
【０１１７】
その後、機器管理サーバ１０のチラシ管理部１２０は、映像処理機器２０からチラシデータの取得を要求されると（Ｓ５８２）、映像処理機器２０の機器ＩＤに対応付けられた店舗からの新規チラシデータを検索する（Ｓ５８４）。そして、映像処理機器２０は、機器管理サーバ１０において検索されたチラシデータを受信すると（Ｓ５８６）、チラシデータおよび付随するチラシメタ情報をデータ記憶部２１４に記録し（Ｓ５８８）、ユーザの要求に応じてチラシデータを表示する（Ｓ５９０）。
【０１１８】
以上、映像処理機器２０がチラシデータおよびチラシメタ情報を取得する処理を説明した。なお、映像処理機器２０は、番組データおよび番組メタ情報、ＣＭデータおよびＣＭメタ情報を、放送受信部２１０を介して放送局１４から取得し、データ記憶部２１４に記録することが可能である。
【０１１９】
［６−５．各コンテンツの表示］
映像処理機器２０は、取得したチラシデータ、ＣＭデータまたは番組データに基づき、チラシ画像、ＣＭ再生画面、または番組再生画面などを表示することができる。以下、チラシ画像、ＣＭ再生画面、および番組再生画面の各々を表示するための処理を説明する。
【０１２０】
（チラシ画像の表示）
図１７および図１８は、チラシ画像を表示するための処理を示した説明図である。図１７に示したように、図１８に示したメインメニュー５０−１においてユーザがチラシ表示を選択すると（Ｓ６０２）、表示生成部２１８が店舗ジャンルリスト５０−２を生成し、表示装置２４が店舗ジャンルリスト５０−２を表示する（Ｓ６０４）。
【０１２１】
なお、メインメニュー５０−１の水平方向には、図１８に示したように、複数のカテゴリアイコンからなるカテゴリアイコン配列４２が配置される。カテゴリとしては、「フォト」、「ビデオ」、「地上アナログ放送」、「地上デジタル放送」、「ＢＳデジタル放送」、「ＣＳデジタル放送」、および「外部入力」などがあげられる。また、カテゴリアイコン配列４２のうちで選択中のカテゴリアイコンと交差する縦方向には、複数の項目アイコンからなる項目アイコン配列４４が配置される。例えば、図１８に示したメインメニュー５０−１においては、「ビデオ」のカテゴリアイコンが選択中であり、「ビデオ」のカテゴリアイコンの上下に、「ビデオ」に関する項目を示す複数の項目アイコンが配置される。この項目アイコン配列４４において項目アイコン「チラシ」がユーザにより選択されると、表示生成部２１８は上述のように店舗ジャンルリスト５０−２を生成する。
【０１２２】
続いて、店舗ジャンルリスト５０−２からユーザが特定の店舗ジャンルを選択すると（Ｓ６０６）、表示生成部２１８は、チラシメタ情報ＤＢを参照し、選択された店舗ジャンルを有する店舗によるチラシタイトルリスト５０−３を生成する（Ｓ６１０）。そして、表示装置２４がチラシタイトルリスト５０−３を表示する（Ｓ６１２）。なお、店舗ジャンルリスト５０−２においてユーザにより店舗ジャンルが選択されず、ユーザにより上位階層へ戻ることを指示された場合（Ｓ６０８）、Ｓ６０２の処理に戻る。
【０１２３】
その後、チラシタイトルリスト５０−３からユーザがチラシタイトルを選択すると（Ｓ６１４）、表示生成部２１８は、選択されたチラシに対応するチラシデータおよびチラシメタ情報をデータ記憶部２１４から取得し、チラシ画像５０−４を生成する（Ｓ６１８）。そして、表示装置２４がチラシ画像５０−４を表示する（Ｓ６２０）。なお、チラシタイトルリスト５０−３においてユーザによりチラシタイトルが選択されず、ユーザにより上位階層へ戻ることを指示された場合（Ｓ６１６）、Ｓ６０４の処理に戻る。
【０１２４】
（ＣＭ再生画面の表示）
図１９および図２０は、ＣＭ再生画面を表示するための処理を示した説明図である。図１９に示したように、図２０に示したメインメニュー５２−１においてユーザがＣＭカタログ表示を選択すると（Ｓ６３２）、表示生成部２１８が商品ジャンルリスト５２−２を生成し、表示装置２４が商品ジャンルリスト５２−２を表示する（Ｓ６３４）。なお、表示生成部２１８は、データ記憶部２１４に記憶されている各ＣＭデータによる宣伝対象商品のジャンルをＣＭメタ情報から取得し、商品ジャンルリスト５２−２に組み入れる。
【０１２５】
続いて、商品ジャンルリスト５２−２からユーザが特定の商品ジャンルを選択すると（Ｓ６３６）、表示生成部２１８は、ＣＭメタ情報ＤＢを参照し、選択された商品ジャンルに対応するＣＭタイトルリスト５２−３を生成する（Ｓ６４０）。そして、表示装置２４が、図２０に示したようにＣＭタイトルリスト５２−３を表示する（Ｓ６４２）。なお、商品ジャンルリスト５２−２においてユーザにより商品ジャンルが選択されず、ユーザにより上位階層へ戻ることを指示された場合（Ｓ６３８）、Ｓ６３２の処理に戻る。
【０１２６】
その後、ＣＭタイトルリスト５２−３からユーザがＣＭタイトルを選択すると（Ｓ６４４）、表示生成部２１８は、選択されたＣＭタイトルに対応するＣＭデータおよびＣＭメタ情報をデータ記憶部２１４から取得する（Ｓ６４８）。そして、表示生成部２１８は、ＣＭデータの再生を開始する、または、再生を待機する（Ｓ６５０）。表示生成部２１８によりＣＭデータの再生が開始されると、表示装置２４は、図２０に示したようにＣＭ再生画面５２−４を表示する。なお、ＣＭタイトルリスト５２−３においてユーザによりＣＭタイトルが選択されず、ユーザにより上位階層へ戻ることを指示された場合（Ｓ６４６）、Ｓ６３４の処理に戻る。
【０１２７】
（番組再生画面の表示）
図２１および図２２は、番組再生画面を表示するための処理を示した説明図である。図２１に示したように、図２２に示したメインメニュー５４−１においてユーザがビデオショッピング表示を選択すると（Ｓ６６２）、表示生成部２１８が商品・番組ジャンルリスト５４−２を生成し、表示装置２４が商品・番組ジャンルリスト５４−２を表示する（Ｓ６６４）。なお、従来のテレビショッピングでは、ユーザがリアルタイムで番組を視聴し、気に入った商品の購入を電話などで申し込むことが想定されていた。これに対し、ビデオショッピングは、録画されたテレビショッピング番組を、取扱商品が登場する時間区分ごとにチャプター化し、各チャプターに取扱商品のメタ情報を付与するものである。これにより、ユーザは、ビデオショッピング番組の視聴時に、テレビショッピング番組の視聴時と同様に、ビデオショッピング番組における取扱商品を購入することが可能となる。
【０１２８】
なお、表示生成部２１８は、データ記憶部２１４に記憶されている各番組データに登場する商品のジャンルを番組メタ情報から取得し、商品・番組ジャンルリスト５４−２に組み入れてもよい。また、ビデオショッピングとして扱われる番組は通販番組（通信販売番組）に限定されず、バラエティ番組や報道番組で商品が登場するコーナーをチャプターとして切り出してビデオショッピング情報として登録してもよい。この場合、各チャプターに番組メタ情報として商品情報（商品名、商品ジャンルなど）を対応付けてもよい。
【０１２９】
続いて、商品・番組ジャンルリスト５４−２からユーザが特定の商品ジャンルを選択すると（Ｓ６６６）、表示生成部２１８は、番組メタ情報ＤＢを参照し、選択された商品ジャンルに対応する商品・番組リスト５４−３を生成する（Ｓ６７０）。そして、表示装置２４が、図２２に示したように商品・番組リスト５４−３を表示する（Ｓ６７２）。なお、商品・番組ジャンルリスト５４−２においてユーザにより商品ジャンルが選択されず、ユーザにより上位階層へ戻ることを指示された場合（Ｓ６６８）、Ｓ６６２の処理に戻る。
【０１３０】
その後、商品・番組リスト５４−３からユーザが番組を選択すると（Ｓ６７４）、表示生成部２１８は、選択された番組に対応する番組データおよび番組メタ情報をデータ記憶部２１４から取得する（Ｓ６７８）。そして、表示生成部２１８は、番組データの再生を開始する、または、再生を待機する（Ｓ６８０）。表示生成部２１８により番組データの再生が開始されると、表示装置２４は、図２２に示したように番組再生画面５４−４を表示する。なお、商品・番組リスト５４−３においてユーザにより番組が選択されず、ユーザにより上位階層へ戻ることを指示された場合（Ｓ６７６）、Ｓ６６４の処理に戻る。
【０１３１】
［６−６．コンテンツの相互検索］
上記のように表示されたチラシ画像、ＣＭ再生画面、または番組再生画面などのコンテンツにおいてユーザが所定操作を行うと、検索部２２４が、図２３に示したように、表示中のコンテンツと同一商品に関する他の種別のコンテンツを検索する。
【０１３２】
図２３は、種別が異なるコンテンツ間の相互検索を模式的に示した説明図である。図２３に示したように、相互検索のパターンとしては、パターンＡ〜パターンＦの６通りが考えられる。
【０１３３】
パターンＡは、チラシ画像の表示中に、チラシ画像に掲載された商品を宣伝するＣＭをＣＭメタ情報ＤＢから検索するものである。パターンＢは、ＣＭ再生画面の表示中に、ＣＭで宣伝された商品を掲載するチラシデータをチラシメタ情報ＤＢから検索するものである。
【０１３４】
パターンＣは、ＣＭ再生画面の表示中に、ＣＭで宣伝された商品が登場する番組を番組メタ情報ＤＢから検索するものである。パターンＤは、番組再生画面の表示中に、番組中に登場する商品を宣伝するＣＭをＣＭメタ情報ＤＢから検索するものである。
【０１３５】
パターンＥは、番組再生画面の表示中に、番組中に登場する商品を掲載するチラシデータをチラシメタ情報ＤＢから検索するものである。パターンＦは、チラシ画像の表示中に、チラシ画像に掲載された商品が登場する番組を番組メタ情報ＤＢから検索するものである。
【０１３６】
そして、検索部２２４により検索されたコンテンツンの表示画面を表示生成部２１８が生成し、表示生成部２１８により生成された表示画面を表示装置２４が表示する。以下、上記各パターンを詳細に説明する。
【０１３７】
（パターンＡ：チラシ→ＣＭ）
図２４および図２５は、チラシ画像からＣＭを検索して表示する処理を示した説明図である。図２４に示したように、まず、ユーザによりチラシデータが選択されると、選択されたチラシデータに基づいて例えば図２５に示したチラシ画像６０−１が表示される（Ｓ７０２）。このチラシ画像６０−１においてユーザにより画像拡大を指示されると、表示生成部２１８は、図２５に示したようにチラシ拡大画像６０−２を生成する。
【０１３８】
その後、ユーザにより商品リスト表示が選択されると（Ｓ７０４）、表示生成部２１８は、チラシメタ情報に基づき、チラシ画像に掲載されている商品の一覧であるチラシ商品リスト６０−３を生成する（Ｓ７０６）。
【０１３９】
さらに、チラシ商品リスト６０−３中の特定商品のサブメニュー６１からＣＭ検索がユーザにより選択されると（Ｓ７０８）、検索部２２４が、選択された商品に付随する情報（商品名、メーカーなど）を検索キーとして、ＣＭメタ情報ＤＢからＣＭを検索する（Ｓ７１０）。そして、検索キーに関連するＣＭがＣＭメタ情報ＤＢから発見された場合（Ｓ７１２）、表示生成部２１８が検索されたＣＭのタイトルリストを生成する。その後、ユーザによりＣＭが選択されると、表示生成部２１８がＣＭの再生を開始し、表示装置２４が図２５に示したようにＣＭ再生画面６０−４を表示する（Ｓ７１４）。
【０１４０】
一方、上記検索キーに関連するＣＭがＣＭメタ情報ＤＢから発見されなかった場合、映像処理機器２０は例えば商品名を検索キーとしてネットワーク１２上の動画共有サイトから商品に関連するＣＭを代替データとして検索する（Ｓ７１６）。そして、動画共有サイトからＣＭが発見された場合（Ｓ７１８）、表示生成部２１８が、検索されたＣＭのタイトルリストを生成する。その後、ユーザによりＣＭが選択されると、表示生成部２１８がＣＭをストリーミングまたはダウンロードにより再生し、表示装置２４がＣＭ再生画面を表示する（Ｓ７２０）。
【０１４１】
なお、チラシ商品リスト６０−３中の全ての商品、または複数の商品がＣＭ検索の対象としてユーザにより選択された場合、検索部２２４は、各商品に対応するＣＭをＣＭメタ情報ＤＢから検索する。そして、検索部２２４により複数のＣＭが検索されると、表示生成部２１８は、複数のＣＭを順次に再生してもよいし、複数のＣＭのプレイリストを生成してもよい。
【０１４２】
（パターンＢ：ＣＭ→チラシ）
図２６および図２７は、ＣＭ再生画面からチラシ画像を検索して表示する処理を示した説明図である。図２６に示したように、まず、ユーザによりＣＭデータが選択されると、選択されたＣＭデータに基づいて例えば図２７に示したＣＭ再生画面６２−１が表示される（Ｓ７２２）。
【０１４３】
その後、ＣＭ再生画面６２−１のサブメニュー６３からチラシ検索がユーザにより選択されると（Ｓ７２４）、検索部２２４が、ＣＭに付随する情報（商品名、メーカーなど）を検索キーとして、チラシメタ情報ＤＢからチラシを検索する（Ｓ７２６）。そして、検索キーに関連する情報を含むチラシが発見された場合（Ｓ７２８）、表示生成部２１８は、図２７に示したように、検索されたチラシの一覧であるチラシリスト６２−２を生成し、ユーザ選択に基づきチラシ画像６２−３を生成する（Ｓ７３０）。このチラシ画像６２−３においてユーザにより画像拡大を指示されると、表示生成部２１８は、図２７に示したようにチラシ拡大画像６２−４を生成する。
【０１４４】
続いて、ユーザがチラシ商品リスト表示をサブメニューから選択すると（Ｓ７３２）、表示生成部２１８は、図２７に示したように、チラシ画像に掲載された商品の一覧であるチラシ商品リスト６２−５を生成する（Ｓ７３４）。ここで、表示生成部２１８は、Ｓ７２６において用いられた検索キーに関連する商品は、例えば他の商品と別の色を付することにより、他の商品と区別して表示する。
【０１４５】
なお、検索キーに関連する情報を含むチラシが発見されなかった場合（Ｓ７２８）、映像処理機器２０は、検索キーに関連する情報を含むチラシの配信を機器管理サーバ１０に要求する（Ｓ７３６）。
【０１４６】
（パターンＣ：ＣＭ→番組）
図２８および図２９は、ＣＭ再生画面から番組を検索して表示する処理を示した説明図である。図２８に示したように、まず、ユーザによりＣＭデータが選択されると、選択されたＣＭデータに基づいて例えば図２９に示したＣＭ再生画面６４−１が表示される（Ｓ７４２）。
【０１４７】
その後、ＣＭ再生画面６４−１のサブメニュー６５から番組検索がユーザにより選択されると（Ｓ７４４）、検索部２２４が、ＣＭに付随する情報（商品名、メーカーなど）を検索キーとして、番組メタ情報ＤＢから番組を検索する（Ｓ７４６）。そして、検索キーに関連する情報を含む番組が発見された場合（Ｓ７４８）、表示生成部２１８は、検索された番組の一覧である番組リストを生成する。そして、ユーザにより番組が選択されると、表示生成部２１８が番組再生画面６４−２を生成し、表示装置２４が番組再生画面６４−２を表示する（Ｓ７５０）。
【０１４８】
続いて、ユーザがチャプターリスト表示をサブメニューから選択した場合（Ｓ７５２）、表示生成部２１８は、番組のチャプターリストを生成する（Ｓ７５４）。ここで、表示生成部２１８は、検索キーに合致した商品情報に含まれる再生時刻情報に基づき、当該時刻が含まれるチャプターを他のチャプターと別の色を付することにより区別して表示してもよい。
【０１４９】
一方、検索キーに関連する情報を含む番組が発見されなかった場合（Ｓ７４８）、映像処理機器２０は、ＥＰＧ情報（番組関連情報）を同じ検索キーで検索し、検索キーに対応する商品が登場する番組の放送予定の有無を調べる（Ｓ７５６）。そして、検索キーに対応する商品が登場する番組の放送予定がある場合（Ｓ７５８）、映像処理機器２０は、当該番組の録画予約設定を行う（Ｓ７６０）。
【０１５０】
（パターンＤ：番組→ＣＭ）
図３０および図３１は、番組再生画面からＣＭを検索して表示する処理を示した説明図である。図３０に示したように、まず、ユーザによりビデオショッピングの番組データが選択されると、選択された番組データに基づいて例えば図３１に示した番組再生画面６６−１が表示される（Ｓ７６２）。
【０１５１】
その後、番組再生画面６６−１のサブメニュー６７からＣＭ検索がユーザにより選択されると（Ｓ７６４）、検索部２２４が、再生中の番組に付随する情報（商品名、メーカーなど）を検索キーとして、ＣＭメタ情報ＤＢからＣＭを検索する（Ｓ７６６）。ここで、再生中の番組のチャプターごとにメタ情報が対応付けられている場合、検索部２２４は、再生中のチャプターに対応付けられているメタ情報を検索キーとして用いてもよい。そして、検索キーに関連するＣＭがＣＭメタ情報ＤＢから発見された場合（Ｓ７６８）、表示生成部２１８が検索されたＣＭのタイトルリストを生成する。その後、ユーザによりＣＭが選択されると、表示生成部２１８がＣＭの再生を開始し、表示装置２４が図３１に示したようにＣＭ再生画面６６−２を表示する（Ｓ７７０）。
【０１５２】
一方、検索キーに関連するＣＭがＣＭメタ情報ＤＢから発見されなかった場合（Ｓ７６８）、映像処理機器２０は、例えば放送局１４から取得されるＣＭ放送予定情報（ＣＭ関連情報）を同じ検索キーで検索し、検索キーに対応する商品を宣伝するＣＭの放送予定の有無を調べる（Ｓ７７２）。そして、検索キーに対応する商品を宣伝するＣＭの放送予定がある場合（Ｓ７７４）、映像処理機器２０は、当該ＣＭを包含する番組の録画予約設定を行う（Ｓ７７６）。
【０１５３】
また、検索キーに対応する商品を宣伝するＣＭの放送予定がない場合（Ｓ７７４）、映像処理機器２０は例えば商品名を検索キーとしてネットワーク１２上の動画共有サイトやメーカーの商品説明サイトから商品に関連するＣＭを代替データとして検索する（Ｓ７７８）。そして、動画共有サイトからＣＭが発見された場合（Ｓ７８０）、表示生成部２１８が、検索されたＣＭのタイトルリストを生成する。その後、ユーザによりＣＭが選択されると、表示生成部２１８がＣＭをストリーミングまたはダウンロードにより再生し、表示装置２４がＣＭ再生画面を表示する（Ｓ７８２）。
【０１５４】
なお、映像処理機器２０は、番組再生画面６６−１の表示中に当該番組に対応するＣＭをＣＭメタ情報ＤＢから検索し、ＣＭメタ情報ＤＢから当該番組に対応するＣＭが発見された場合にのみ、サブメニュー６７にＣＭ検索の表示を組み込んでもよい。
【０１５５】
（パターンＥ：番組→チラシ）
図３２および図３３は、番組再生画面からチラシを検索して表示する処理を示した説明図である。図３２に示したように、まず、ユーザによりビデオショッピングの番組データが選択されると、選択された番組データに基づいて例えば図３３に示した番組再生画面６８−１が表示される（Ｓ８０２）。
【０１５６】
その後、番組再生画面６８−１のサブメニュー６９からチラシ検索がユーザにより選択されると（Ｓ８０４）、検索部２２４が、再生中の番組に付随する情報（商品名、メーカーなど）を検索キーとして、チラシメタ情報ＤＢからチラシを検索する（Ｓ８０６）。そして、検索キーに関連する情報を含むチラシが発見された場合（Ｓ８０８）、表示生成部２１８は、検索されたチラシの一覧であるチラシリストを生成し、ユーザ選択に基づきチラシ画像６８−２を生成する（Ｓ８１０）。
【０１５７】
なお、検索キーに関連する情報を含むチラシが発見されなかった場合（Ｓ８０８）、映像処理機器２０は、検索キーに関連する情報を含むチラシの配信を機器管理サーバ１０に要求する（Ｓ８１２）。
【０１５８】
（パターンＦ：チラシ→番組）
図３４および図３５は、チラシ画像から番組を検索して表示する処理を示した説明図である。図３４に示したように、まず、ユーザによりチラシデータが選択されると、選択されたチラシデータに基づいて例えば図３５に示したチラシ画像７０−１が表示される（Ｓ８２２）。このチラシ画像７０−１においてユーザにより画像拡大を指示されると、表示生成部２１８は、図３５に示したようにチラシ拡大画像７０−２を生成する。
【０１５９】
その後、ユーザにより商品リスト表示が選択されると（Ｓ８２４）、表示生成部２１８は、チラシメタ情報に基づき、チラシ画像に掲載されている商品の一覧であるチラシ商品リスト７０−３を生成する（Ｓ８２６）。
【０１６０】
さらに、チラシ商品リスト７０−３中の特定商品のサブメニュー７１から番組検索がユーザにより選択されると（Ｓ８２８）、検索部２２４が、選択された商品に付随する情報（商品名、メーカーなど）を検索キーとして、番組メタ情報ＤＢから番組を検索する（Ｓ８３０）。
【０１６１】
そして、検索キーに関連する情報を含む番組が発見された場合（Ｓ８３２）、表示生成部２１８は、検索された番組の一覧である番組リストを生成する。そして、ユーザにより番組が選択されると、表示生成部２１８が番組再生画面７０−４を生成し、表示装置２４が番組再生画面７０−４を表示する（Ｓ８３４）。
【０１６２】
一方、検索キーに関連する情報を含む番組が発見されなかった場合（Ｓ８３２）、映像処理機器２０は、ＥＰＧ情報（番組関連情報）を同じ検索キーで検索し、検索キーに対応する商品が登場する番組の放送予定の有無を調べる（Ｓ８３６）。そして、検索キーに対応する商品が登場する番組の放送予定がある場合（Ｓ８３８）、映像処理機器２０は、当該番組の録画予約設定を行う（Ｓ８４０）。
【０１６３】
＜７．補足＞
ところで、通常、ＣＭ再生画面には宣伝対象の商品の価格情報は表示されない。このため、ユーザは、ＣＭ再生画面の視聴により商品に興味を持った場合、商品の価格を別途調べる必要があった。そこで、以下に説明するように、ＣＭ再生画面に価格情報を重畳することも有効である。
【０１６４】
図３６は、価格情報７４が重畳されたＣＭ再生画面７２の具体例を示した説明図である。図３６に示したＣＭ再生画面７２は、例えば、検索部２２４がＣＭ宣伝対象商品の価格情報をチラシメタ情報ＤＢから検索し、検索部２２４により検索された価格情報７４を表示生成部２１８がＣＭ再生画面７２に重畳することにより実現される。なお、価格情報の取得方法は上記の例に限られず、価格情報は外部装置（例えば、機器管理サーバ１０）から取得してもよい。
【０１６５】
ただし、ＣＭ再生画面への価格情報の重畳をＣＭ作成者側が望まない場合が考えられる。このような場合のために、ＣＭメタ情報には、価格情報の重畳の可否を示す情報が含まれてもよい。これにより、表示生成部２１８は、価格情報の重畳の可否を示す情報を参照し、価格情報の重畳が認められる場合にのみＣＭ再生画面に価格情報を重畳することができる。
【０１６６】
一方、映像処理機器２０は、価格情報の重畳が認められない場合には、映像処理機器２０と事前に対応付けられた他装置に価格情報を表示させてもよい。例えば、映像処理機器２０は、検索部２２４により検索された価格情報を、機器管理サーバ１０において映像処理機器２０と対応付けられている携帯端末２２に機器管理サーバ１０を介して送信することにより、価格情報を携帯端末２２に表示させてもよい。または、映像処理機器２０は、価格情報を携帯端末２２に直接送信することにより価格情報を携帯端末２２に表示させてもよい。
【０１６７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１６８】
また、本明細書の情報処理システム１または映像処理機器２０の処理における各ステップは、必ずしもシーケンス図またはフローチャートとして記載された順序に沿って時系列に処理する必要はない。例えば、情報処理システム１または映像処理機器２０の処理における各ステップは、フローチャートとして記載した順序と異なる順序で処理されても、並列的に処理されてもよい。
【０１６９】
また、機器管理サーバ１０、映像処理機器２０、および携帯端末２２に内蔵されるＣＰＵなどのハードウェアを、上述した機器管理サーバ１０、映像処理機器２０、および携帯端末２２の各構成と同等の機能を発揮させるためのコンピュータプログラムも作成可能である。また、該コンピュータプログラムを記憶させた記憶媒体も提供される。
【符号の説明】
【０１７０】
１０      機器管理サーバ
１２      ネットワーク
１４      放送局
２０      映像処理機器
２２      携帯端末
２４      表示装置
３０      店舗装置
１０２、２０２、２５２    ＲＯＭ
１０４、２０４、２５４    ＲＡＭ
１０８、２０８、２５８    ネットワーク通信部
１１０    ＩＤ発行部
１１２    登録処理部
１１４    記憶部
１２０    チラシ管理部
２１０    放送受信部
２１８    表示生成部
２２４    検索部
２６０    ＲＦタグ
２６２    Ｒ／Ｗ
２６４    ＱＲコード読取り部
【図１】
0005617247.tif 000002
【図２】
0005617247.tif 000003
【図３】
0005617247.tif 000004
【図４】
0005617247.tif 000005
【図５】
0005617247.tif 000006
【図６】
0005617247.tif 000007
【図７】
0005617247.tif 000008
【図８】
0005617247.tif 000009
【図９】
0005617247.tif 000010
【図１０】
0005617247.tif 000011
【図１１】
0005617247.tif 000012
【図１２】
0005617247.tif 000013
【図１３】
0005617247.tif 000014
【図１４】
0005617247.tif 000015
【図１５】
0005617247.tif 000016
【図１６】
0005617247.tif 000017
【図１７】
0005617247.tif 000018
【図１８】
0005617247.tif 000019
【図１９】
0005617247.tif 000020
【図２０】
0005617247.tif 000021
【図２１】
0005617247.tif 000022
【図２２】
0005617247.tif 000023
【図２３】
0005617247.tif 000024
【図２４】
0005617247.tif 000025
【図２５】
0005617247.tif 000026
【図２６】
0005617247.tif 000027
【図２７】
0005617247.tif 000028
【図２８】
0005617247.tif 000029
【図２９】
0005617247.tif 000030
【図３０】
0005617247.tif 000031
【図３１】
0005617247.tif 000032
【図３２】
0005617247.tif 000033
【図３３】
0005617247.tif 000034
【図３４】
0005617247.tif 000035
【図３５】
0005617247.tif 000036
【図３６】
0005617247.tif 000037